(57)【要約】【課題】強度低下及びガタツキ発生のないものでありながら、連結作業を効率よく行うことができる寝台におけるフレーム連結構造を提供する点にある。【解決手段】床部を載置支持する支持フレーム４を、中間フレーム部１２と、その中間フレーム部１２の前後端にそれぞれ連結される前側フレーム部１３及び後側フレーム部１４とから構成し、前側フレーム部及び中間フレーム部それぞれの連結端部並びに後側フレーム部１４及び中間フレーム部１２それぞれの連結端部において、一方の連結端部に備えさせた係止ピン１５と被係止部１６Ｋとを係止させた状態で係止ピン１５に上下方向から係止して連結状態の両フレーム部１４，１２が互いに離間する側への移動を阻止するためのストッパー部材１７を備えさせている。【選択図】      図２
2004290415.tif 000002
【特許請求の範囲】
【請求項１】
床部を載置支持するための支持フレームを、中間部に位置すると共に左右一対のフレームを備えた中間フレーム部と、その中間フレーム部の左右フレームの一端にそれぞれ連結される左右一対のフレームを備えた前側フレーム部及び該中間フレーム部の左右フレームの他端に連結される左右一対のフレームを備えた後側フレーム部とから構成し、前記前側フレーム部及び中間フレーム部それぞれの連結端部並びに前記後側フレーム部及び中間フレーム部それぞれの連結端部において、一方の連結端部の内側面に左右方向内方側に突出する状態で係止ピンを備えさせ、他方の連結端部の内側面に前記係止ピンに前後方向から係止可能な被係止部を備えさせ、前記係止ピンと被係止部とを係止させた状態で該係止ピンに上下方向から係止して連結状態の両フレーム部が互いに離間する側への移動を阻止するためのストッパー部材を前記他方の連結端部の内側面に前記被係止部よりも内側に位置する状態で備えさせたことを特徴とする寝台におけるフレーム連結構造。
【請求項２】
前記他方の連結端部の外側面に左右方向外方側に突出する状態で補助用係止ピンを備えさせ、前記一方の連結端部に前記他方の連結端部の上面及び外側面の２面を覆うためのほぼ逆Ｌ字形状の補強部材を取り付け、前記補強部材の外側壁部の連結方向先端に前記補助用係止ピンに前後方向から係止可能な被係止部を備えさせてなる請求項１記載の寝台におけるフレーム連結構造。
【請求項３】
前記他方の連結端部に、前記一方の連結端部との連結時に該他方の連結端部の下面及び内側面の２面が接触するほぼＬ字形状の補助用補強部材を取り付け、前記補助用補強部材の内側壁部の連結方向先端に前記係止ピンに前後方向から係止可能な前記被係止部を備えさせてなる請求項１又は２記載の寝台におけるフレーム連結構造。
【請求項４】
前記中間フレーム部の左右フレーム、前記前側フレーム部の左右フレーム、前記後側フレーム部の左右フレームのそれぞれを角筒状のフレームから構成してなる請求項１〜３のいずれか１項記載の寝台におけるフレーム連結構造。
【発明の詳細な説明】
【０００１】
【発明の属する技術分野】
本発明は、床部を載置支持する支持フレームを、前側フレーム部、中間フレーム部、後側フレーム部の３つのフレーム部を連結してなる寝台におけるフレーム連結構造に関する。
【０００２】
【従来の技術】
上記寝台においては、中間フレーム部を構成する左右一対の角筒状のフレームの前端それぞれに、前側フレーム部を構成する左右一対の角筒状のフレームの先端部（後端部）を内挿し、その内挿した前側フレーム部の内挿部分に形成したねじ孔に中間フレーム部に形成した貫通孔を通してボルトをねじ込むことにより、前側フレーム部と中間フレーム部とを連結し、中間フレーム部を構成する左右一対の角筒状のフレームの後端それぞれに、後側フレーム部を構成する左右一対の角筒状のフレームの先端部（前端部）を内挿し、その内挿した後側フレーム部の内挿部分に形成したねじ孔に中間フレーム部に形成した貫通孔を通してボルトをねじ込むことにより、後側フレーム部と中間フレーム部とを連結して支持フレームを組み立てることができるようにしている（例えば、特許文献１参照）。
【０００３】
【特許文献１】
特開平９−２８５３６３号公報（図４参照）
【０００４】
【発明が解決しようとする課題】
上記特許文献１では、前側フレーム部と中間フレーム部とを２箇所でボルト連結する作業と、後側フレーム部と中間フレーム部とを２箇所でボルト連結する作業の合計４箇所のボルト連結作業が必要になり、連結作業が手間のかかる煩わしい作業になるだけでなく、ボルトの締め付け力不足によるガタツキなどのトラブルが発生することもあった。又、前側フレーム部のねじ孔と中間フレーム部の貫通孔とを精度良く形成していなければ、前側フレーム部のねじ孔と中間フレーム部の貫通孔とを前側フレーム部を中間フレーム部へ内挿しただけでは、一致させることができない。このため、両フレーム部の位置調整が必要になり、連結作業が更に時間のかかるものになることもあった。
因みに、中間フレーム部と前側フレーム部又は後側フレーム部とをピンにて貫通させてピンの先端に抜け止め用のクリップを差し込んで両者を連結するものも考えられるが、この場合も同様に貫通孔の位置合わせが必要になり、手間がかかる不都合があるだけでなく、中間フレーム部、前側フレーム部、後側フレーム部に貫通孔を形成することから、フレームの強度が低下すると共に早期にガタツキが発生するなどの問題もあり、実施し難いものであった。
【０００５】
本発明が前述の状況に鑑み、解決しようとするところは、強度低下及びガタツキ発生のないものでありながら、連結作業を効率よく行うことができる寝台におけるフレーム連結構造を提供する点にある。
【０００６】
【課題を解決するための手段】
本発明は、前述の課題解決のために、床部を載置支持するための支持フレームを、中間部に位置すると共に左右一対のフレームを備えた中間フレーム部と、その中間フレーム部の左右フレームの一端にそれぞれ連結される左右一対のフレームを備えた前側フレーム部及び該中間フレーム部の左右フレームの他端に連結される左右一対のフレームを備えた後側フレーム部とから構成し、前記前側フレーム部及び中間フレーム部それぞれの連結端部並びに前記後側フレーム部及び中間フレーム部それぞれの連結端部において、一方の連結端部の内側面に左右方向内方側に突出する状態で係止ピンを備えさせ、他方の連結端部の内側面に前記係止ピンに前後方向から係止可能な被係止部を備えさせ、前記係止ピンと被係止部とを係止させた状態で該係止ピンに上下方向から係止して連結状態の両フレーム部が互いに離間する側への移動を阻止するためのストッパー部材を前記他方の連結端部の内側面に前記被係止部よりも内側に位置する状態で備えさせたことを特徴としている。
前側フレーム部と中間フレーム部とを連結する場合には、一方のフレーム部に備えさせている被係止部と他方のフレーム部に備えさせている係止ピンとを前後方向から接近させることにより係止させてから、一方のフレーム部に被係止部よりも内側に位置する状態で備えさせているストッパー部材を前記係止ピンに係止させるだけで、前記係止を係止解除不能にして両フレーム部の連結を完了することができる。又、後側フレーム部と中間フレーム部とを連結する場合には、一方のフレーム部に備えさせている被係止部と他方のフレーム部に備えさせている係止ピンとを前後方向から接近させることにより係止させてから、一方のフレーム部に備えさせているストッパー部材を前記係止ピンに係止させるだけで、前記係止を係止解除不能にして両フレーム部の連結を完了することができる。このように両フレーム部の連結保持を係止で行う構成にすることによって、ボルトやピン及びクリップで連結する場合よりも迅速に行うことができるだけでなく、ボルトの締め付け力不足によるガタツキなどの発生がない。又、フレーム部に貫通孔などを形成していないことから、それによるフレーム部の強度低下がない。
又、前記係止ピン、被係止部、ストッパー部材をフレーム部の内側面に備えさせていることから、それらが外部から見えにくいだけでなく、運搬時や移動時などに他物との接当を回避し易い利点がある。
【０００７】
前記他方の連結端部の外側面に左右方向外方側に突出する状態で補助用係止ピンを備えさせ、前記一方の連結端部に前記他方の連結端部の上面及び外側面の２面を覆うためのほぼ逆Ｌ字形状の補強部材を取り付け、前記補強部材の外側壁部の連結方向先端に前記補助用係止ピンに前後方向から係止可能な被係止部を備えさせることによって、前後方向において異なる２箇所で係止保持させることができるから、係止ピン周りで前側フレーム部又は後側フレーム部が回転することを阻止することができるだけでなく、補強部材を筒状のもので構成したものに比べて、連結作業を容易迅速に行うことができる。
【０００８】
前記他方の連結端部に、前記一方の連結端部との連結時に該他方の連結端部の下面及び内側面の２面が接触するほぼＬ字形状の補助用補強部材を取り付け、前記補助用補強部材の内側壁部の連結方向先端に前記係止ピンに前後方向から係止可能な前記被係止部を備えさせることによって、一方のフレーム部の連結端部に取り付けた補助用補強部材にて他方のフレーム部の連結端部の下面を接触支持することができ、連結端部における強度アップを図ることができるだけでなく、補助用補強部材を筒状のもので構成したものに比べて、連結作業を容易迅速に行うことができる。
【０００９】
前記中間フレーム部の左右フレーム、前記前側フレーム部の左右フレーム、前記後側フレーム部の左右フレームのそれぞれを角筒状のフレームから構成することが好ましい。
【００１０】
【発明の実施の形態】
図１に、前後方向に長い寝台が示されており、この寝台は、前後端の４つの角部に接地部１を備えた固定フレーム２と、このフレーム２に前後一対のリンク機構３，３を介して昇降自在に取り付けられた支持フレーム４と、前記支持フレーム４の前後端にそれぞれ立姿勢で取り付けられたヘッドボード５及びフットボード６と、前記支持フレーム４の上面に載置支持される床部１１とを備えている。ここでは、支持フレーム４を昇降可能なものを示しているが、昇降不能なものであってもよい。
【００１１】
前記床１１は、前後方向前側（ヘッドボード５側）から後端側の水平軸芯周りで起伏自在に構成された背部床７、座部床８、前方側の水平軸芯周りで起伏自在に構成された膝部床９、膝部床９の後端に枢支連結されると共に膝部床９の起伏により前端側が上昇して膝部床９と共働して側面視においてほぼへの字状に姿勢変更可能に構成された脚部床１０の順に配置されているが、１つの床部又は２つの床部又は３つの床部又は５つ以上の床部で構成してもよい。尚、図１では、脚部床１０のみフレームの上に縦横に所定間隔をおいて配設された金属製の棒状部材からなる網体を図示したものを示しているが、他の床である背部床７、座部床８、膝部床９にも同様に網体が配設されることになる。又、前記網体に代えて板状部材をフレームの上に備えさせて構成することもできるし、又、角筒状又は円筒状のパイプを多数フレーム上に備えさせて構成してもよい。
【００１２】
前記支持フレーム４は、前後方向において中間部に位置すると共に左右一対の角筒状のフレーム１２Ａ，１２Ｂを備えた中間フレーム部１２と、前記中間フレーム部１２の左右フレーム１２Ａ，１２Ｂの前端部にそれぞれ突き合わせた状態で連結される左右一対の角筒状のフレーム（前記左右フレーム１２Ａ，１２Ｂと断面形状及び断面の外形寸法がほぼ同一のもの）１３Ａ，１３Ｂを備えた前側フレーム部１３と、前記中間フレーム部１２の左右フレーム１２Ａ，１２Ｂの後端部にそれぞれ突き合わせた状態で連結される左右一対の角筒状のフレーム（前記左右フレーム１２Ａ，１２Ｂと断面形状及び断面の外形寸法がほぼ同一のもの）１４Ａ，１４Ｂを備えた後側フレーム部１４とから構成されている。図１に示す１３Ｃは、前側フレーム部１３の左右フレーム１３Ａ，１３Ｂの前端部同士を連結するための連結フレームであり、図示していないが、後側フレーム部１４の左右フレーム１４Ａ，１４Ｂの後端部同士が連結フレームを介して連結されている。前記各フレーム部１２又は１３又は１４は、軽量化を図りながらも所定の強度を得るために筒状の金属製のものから構成する他、金属とほぼ同等の強度を有し、かつ、軽量化を図れるものであればどのような構成（材料も含む）であってもよい。
【００１３】
前記前側フレーム部１３と中間フレーム部１２との連結構造及び後側フレーム部１４と中間フレーム部１２との連結構造が同一であるため、後側フレーム部１４と中間フレーム部１２との連結構造について説明する。
図２に示すように、後側フレーム部１４の左右フレーム１４Ａ，１４Ｂの内側面の前端部のそれぞれに左右方向内方側に突出する係止ピン１５を備えさせ、これら係止ピン１５，１５に前後方向から係止可能な被係止部としてのほぼＵ字状の切欠き１６Ｋが形成されたほぼＬ字状で板状の補助用補強部材１６を中間フレーム部１２の左右フレーム１２Ａ，１２Ｂの連結端部である後端部にそれぞれ取り付けている。又、前記補助用補強部材１６の内側壁の内面のうちの前記切欠き１６Ｋ，１６Ｋよりも前側の部位に、前記係止ピン１５，１５と切欠き１６Ｋ，１６Ｋとの係止状態において該係止ピン１５，１５の軸部のうちの切欠き１６Ｋ，１６Ｋが係止した部位よりも内側に位置する部位に上方から係止するほぼＵ字状の切欠き１７Ａを備えたストッパー部材である板状のフック１７を、該切欠き１６Ｋ，１６Ｋよりも内方側に突出する状態でピンＰ（図４（ａ），（ｂ）参照）を介して水平軸芯Ｘ周りで揺動自在に取り付けている。前記係止ピン１５を中間フレーム部１２に備えさせると共に、この係止ピン１５に係止する前記フック１７及び前記補助用補強部材１６を後側フレーム部１４に備えさせて実施することもできる。又、前記フック１７の水平軸芯Ｘを係止ピン１５の中心と同一高さに設定する他、フック１７の水平軸芯Ｘを係止ピン１５の中心よりも上方に位置する高さに設定することによりフック１７が上方に揺動され難いようにしてもよい。前記係止ピン１５を頭部と軸部とから構成しているが、場合によっては軸部のみで構成することもできる。前記ストッパー部材を揺動自在なフック１７から構成したが、上下方向に移動自在に設けたスライド部材から構成することもできる。
【００１４】
前記補助用補強部材１６は、図２及び図４（ａ），（ｂ）に示すように、中間フレーム部１２の左右フレーム１２Ａ，１２Ｂの内側壁部とほぼ平行で前記切欠き１６Ｋが形成されると共に後側フレーム部１４の左右フレーム１４Ａ，１４Ｂの内側面に接触する内側板部１６Ａと、この内側板部１６Ａの下端から水平方向に延びて前記左右フレーム１４Ａ，１４Ｂの下面に接触する底板部１６Ｂと、前記内側板部１６Ａの前端から９０度折り曲げられて中間フレーム部１２の左右フレーム１２Ａ，１２Ｂの開口端を塞ぐように構成された閉塞板部１６Ｃと、この閉塞板部１６Ｃの左右方向外側端部から９０度折り曲げられて中間フレーム部１２の左右フレーム１２Ａ，１２Ｂの外側壁部の内面に接触する状態で溶接などにより固定された取付板部１６Ｄとから構成することにより、補助用補強部材１６自体の強度を高めることができるが、内側板部１６Ａと底板部１６Ｂとからなる前後方向視においてほぼＬ字状のものから構成してもよい。
【００１５】
前記中間フレーム部１２の左右フレーム１２Ａ，１２Ｂの外側面に左右方向外方側に突出する状態で補助用係止ピン１８を備えさせ、前記後側フレーム部１４の左右フレーム１４Ａ，１４Ｂの前端部に、中間フレーム部１２の左右フレーム１２Ａ，１２Ｂの上面及び外側面の２面を覆うためのほぼ逆Ｌ字状の補強部材１９の後側部分を前記係止ピン１５により固定している。前記補強部材１９は、中間フレーム部１２の左右フレーム１２Ａ，１２Ｂの外側面を覆うための縦部１９Ａと、この縦部１９Ａの上端から水平方向に延びる水平板部１９Ｂとからなり、前記縦部１９Ａの前端部に前記係止ピン１５に前後方向から係止可能な被係止部としてのほぼＵ字状の切欠き１９Ｋが形成されている。
前記ほぼＬ字状の補強部材１９と前記ほぼ逆Ｌ字状の補助用補強部材１６とを左右方向で重複した状態で配置することによって、図３（ａ），（ｂ）にも示すように、連結部をほぼ筒状に構成することができ、その連結部での強度アップを図りながらも、筒状の連結端部同士を嵌合させるものに比べて連結作業を容易に行うことができる。
【００１６】
前記中間フレーム部１２の左右フレーム１２Ａ，１２Ｂと後側フレーム部１４の左右フレーム１４Ａ，１４Ｂとを連結する場合には、図４（ｂ）にも示すように、後側フレーム部１４の左右フレーム１４Ａ，１４Ｂの前端部を中間フレーム部１２の左右フレーム１２Ａ，１２Ｂの後端部に後側から接近移動させることにより、内側に位置する切欠き１６Ｋに係止ピン１５を係止させると同時に、外側に位置する切欠き１９Ｋに係止ピン１８を係止させ（図３（ａ）参照）、続いて、フック１７の取っ手１７Ｔを持って上方から（操作しにくいが下方からでもよい）内側に位置する係止ピン１５に係止することにより、両フレーム部１２，１４が互いに離間する側への移動を阻止した状態で両フレーム部１２，１４を連結固定することができるようにしている（図３（ｂ）参照）。このように係止にて両フレーム部１２，１４を連結する構成にすることによって、ボルトなどにより行う場合に比べて連結作業を容易に行うことができる。しかも、係止ピン１５、切欠き１６Ｋ、フック１７をフレーム部１２，１４の内側面に備えさせていることから、外部から見えにくく、意匠感を損なうことを回避することができると共に、それら部品に運搬時や移動時に他物と接当することを回避し易い利点がある。ここでは、フック１７を手動力により揺動操作して係止ピン１５に対して係止及び係止解除する場合を示しているが、切欠き１６Ｋ，１９Ｋと係止ピン１５，１８との係止動作に連動してフック１７が自ずと係止動作するように連動機構などを設けて更に連結作業を効率よく行えるようにしてもよい。又、２つのフレーム部１２，１４を前後方向２箇所で係止させる、つまり切欠き１６Ｋ，１９Ｋと係止ピン１５，１８とを係止させることによって、中間フレーム部１２に対して後側フレーム部１４が上方に揺動することを阻止することができるようにしているが、場合によっては切欠き１９Ｋを省略して実施することもできる。
【００１７】
図２及び図４（ａ），（ｂ）に示す２０は、前記リンク機構３の下端に中間フレーム部１２を載置支持するためのブラケットであり、このブラケット２０を中間フレーム部１２に固定するためのリベット又はボルトを前記係止ピン１８にて兼用構成してあり、部品点数及び組み立て作業工程数の削減化を図ることができる利点があるが、兼用構成しないで実施することもできる。
又、前記内側に位置する係止ピン１５の軸部の先端の周面にねじ部１５Ｎを形成してあり、前記後側フレーム部１４の左右フレーム１４Ａ，１４Ｂのそれぞれに形成の貫通孔１４Ｋ，１４Ｋに係止ピン１５を挿通させてから、補強部材１９に形成のねじ部に螺合させることにより、補強部材１９の取り付け用ボルトを兼用構成しているが、他の手段（ボルトや溶接など）により補強部材１９を後側フレーム部１４の左右フレーム１４Ａ，１４Ｂのそれぞれに固定する構成であってもよい。
【００１８】
前記背部床７、座部床８、膝部床９を寝台本体の取付部に取り付けるための取付構造について説明すれば、まず、背部床７は、図１、図５及び図６に示すように、ほぼ矩形状で環状の外側フレームの前後フレーム部を連結する左右一対の連結フレーム２１，２１のそれぞれの後方側部位に、所定間隔をおいて前後一対のＬ字状で板状（角筒状又は塊状などであってもよい）の係止部材２２，２２を溶接（ビス止めでもよい）により固定し、寝台本体側の取付部、つまり背部床７を起伏操作する揺動部材の回転支軸に固定された左右一対の受け具２３，２３（１個でも３個以上設けてもよい）のそれぞれに、前記前後一対の係止部材２２，２２を挿入可能な開口である前後方向に長く平面視においてほぼ矩形状の長孔２４の２個を所定間隔を置いて前後に形成している。前記各係止部材２２は、前記連結フレーム２１の上面に溶接固定される水平姿勢の板状の固定部２２Ａと、この固定部の左右端部から下方に折り曲げられ連結フレーム２１の下面よりも少し下方に突出する板状の縦部２２Ｂと、この縦部２２Ｂの下端から後方側へ延びる板状の係止部２２Ｃとからなっている。そして、前記４つの係止部材２２の係止部２２Ｃを長孔２４に挿入してから長孔２４の後端部に縦部２２Ｂの後端部が接当する位置まで背部床７を寝台の長手方向後方へ移動させることにより、係止部材２２が上方に移動する際に係止部２２Ｃの上面が受け具２３の下面に接当して係止部材２２が長孔２４から外れることがないように構成している。又、前記前側（後側でもよいし、前後両方でもよい）に位置する左右一対の係止部材２２，２２それぞれの後端面とそれに対応する長孔２４，２４の前端部との間に発生する隙間に入り込んで係止部材２２，２２の前側への移動を接当阻止するための規制部材としての左右一対の揺動部材２５，２５のそれぞれを、水平軸芯Ｙ周りで揺動自在に前記前側の係止部材２２，２２よりも前側に位置するように連結フレーム２１，２１にそれぞれ取り付けている。前記係止部材２２に固定部２２Ａを備えさせることによって、係止部材２２に下方側への引っ張り力が作用した場合において、連結フレーム２１からの離脱を確実に阻止することができる利点があるが、固定部２２Ａを省略し、縦部２２Ｂを連結フレーム２１の内側面に溶接などにより固定して実施することもできる。前記係止部材２２を寝台の側面視においてＬ字状に見える状態に取り付けて床を寝台の前後方向に移動させることにより、該係止部材２２を係止位置に移動させるようにしたが、寝台の前後方向視においてＬ字状に見える状態に取り付けて床を寝台の左右方向に移動させることにより、係止部材２２を係止位置に移動させるように構成してもよい。又、前記規制部材を揺動部材２５から構成したが、上下方向に移動自在なスライド部材から構成して実施することもできる。
【００１９】
従って、背部床７に備えさせた全部で４つの係止部材２２を目視しながら受け具２３に形成の４つの長孔２４に差し込んでから、背部床７を後方に少し移動させることにより、係止部材２２の係止部２２Ｃを長孔２４よりも後方側に位置させる。この後、前方側に位置する左右の係止部材２２，２２よりも前方側に設けた揺動部材２５，２５の操作部２５Ａ，２５Ａをそれぞれ持って下方に揺動操作することによって、下方に垂下した係止部２５Ｂ，２５Ｂが係止部材２２，２２と長孔２４，２４の後端との間の隙間に入り込んで該隙間の一部を埋める（全部が埋まるようにしてもよい）ことで背部床７の受け具２３，２３への取り付け作業を終了するようにしている。このように構成することによって、前側の左右の係止部材２２，２２が寝台の長手方向前側に移動することを揺動部材２５，２５の前端が長孔２４，２４の先端に接当することにより阻止されるようになっている。尚、前記背部床７が後端側の水平軸芯周りで起伏されることから、揺動部材２５，２５の係止部２５Ｂ，２５Ｂが前記隙間に容易に入り込ませることができるように揺動部材２５，２５の係止部２５Ｂ，２５Ｂの係止部材２２から離れる側の端部（前端部）と長孔２４，２４との間に少し隙間が発生するように構成しても、背部床７の起伏時には背部床７が受け具２３，２３に対して後側に移動することになるため、背部床７が前側に移動して前記揺動部材２５，２５の係止部２５Ｂ，２５Ｂの前端部が長孔２４，２４の前端部に接当することが皆無に等しく、問題にはならない。
【００２０】
前記膝部床９は、図１、図５〜図８に示すように、ほぼ矩形状で環状の外側フレームの前後フレーム部を連結する左右一対の連結フレーム２６，２６のそれぞれの後方側部位に、所定間隔をおいて前後一対の板状（角筒状又は塊状などであってもよい）の係止部材２２，２２（背部床７に取り付けたものと同一のものであるが、係止部２２Ｃの先端部の向きを前方側に向けている）を溶接（ビス止めでもよい）により固定し、寝台本体側の取付部、つまり膝部床９を起伏操作する揺動部材の回転支軸に固定された左右一対の受け具２７，２７に前記係止部材２２，２２を挿入可能な開口である寝台の長手方向である前後方向に長くほぼ矩形状の長孔２４，２４（前記受け具２３に形成したものと同一）を形成している。前記各係止部材２２は、前記同様に連結フレーム２６の上面に溶接固定される水平姿勢の板状の固定部２２Ａと、この固定部２２Ａの左右端部から下方に折り曲げられ連結フレーム２６の下面よりも少し下方に突出する板状の縦部２２Ｂと、この縦部２２Ｂの下端から後方側へ延びる板状の係止部２２Ｃとからなっている。そして、図８（ａ）に示すように、前記４つの係止部材（図では前側の１つの係止部材のみ示している）２２の係止部２２Ｃを長孔２４に挿入してから長孔２４の前端部に縦部２２Ｂの前端部が接当する位置まで膝部床９を前方に移動させることにより、係止部材２２が上方に移動する際に係止部２２Ｃの上面が受け具２７の下面に接当して係止部材２２が長孔２４から上方へ離脱する（外れる）ことがないようにしている。又、前記前側（後側でもよいし、前後両方でもよい）に位置する係止部材２２の後端面（縦部２２Ｂの係止部２２Ｃとは反対側の端面）と長孔２４の後端部（係止部材２２の係止側とは反対側の端部）との間に発生する隙間に入り込んで係止部材２２の後側への移動を接当阻止するための規制部材としての揺動部材２５を水平軸芯Ｚ周りで揺動自在に前記前側の係止部材２２よりも後側の連結フレーム２６に取り付けている。
従って、前記のように長孔２４内に係止部材２２を上方から挿入してから、前方の係止位置まで係止部材２２を移動させた後、図８（ｂ）に示すように、取っ手２５Ｂを持って実線で示す上方に位置する揺動部材２５を下方に揺動操作することにより、係止部材２２の後端面と長孔２４の後端との間の隙間（長孔２４）に入り込ませることで、係止部材２２が係止解除側、つまり後方側に移動することを揺動部材２５にて接当阻止することができるようにしている。前記揺動部材２５の長孔２４内での長手方向の寸法は、係止部材２２が係止解除側に最大移動したときに係止部２２Ｃが長孔２４を通して上方に抜けることがない大きさであれば、どのような大きさに設定してもよいが、揺動部材２５の係止部２５Ｂの後端面とこれに対向位置する長孔２４の後端部との間に発生する隙間ができる限り少なくなるように設定する方が、ガタツキの点で有利になる。
【００２１】
前記座部床８は、図２及び図３で示した係止ピン１５とそれに係止するフック１７とから左右のフレーム１２Ａ，１２Ｂ（図では右側のフレーム１２Ｂのみ示している）に固定できるようになっている。つまり、図１、図５〜図７に示すように、座部床８を構成する環状フレームの前後フレーム部間を連結すると共に左右のフレーム１２Ａ，１２Ｂに取り付け固定されるほぼ箱状（角筒状や板状などであってもよい）の左右一対の連結フレーム２８，２８の底部の一部を９０度折り曲げて下方に垂下した縦部２８Ｔを形成し、この縦部２８Ｔの下端に前記フレーム１２Ａ，１２Ｂの内側面それぞれに内方側に突出した状態で取り付けられた係止ピン１５に係止する切欠き２８Ａを形成すると共に、前記縦部２８Ｔの上端に、前記係止ピン１５と切欠き２８Ａとの係止状態において該係止ピン１５に係止して座部床８の上方側への移動を阻止するためのフック１７を水平軸芯Ｗ周りで揺動自在に取り付けている。
従って、図５に示すように、連結フレーム２８，２８の底板部２８Ｂ，２８Ｂの下面がフレーム１２Ａ，１２Ｂに当たるまで座部床８を下降させることにより、係止ピン１５，１５に切欠き２８Ａ，２８Ａを係止させて座部床８の位置決めを行う。この後、２つのフック１７，１７それぞれの取っ手１７Ｔを持ってフック１７を図６の姿勢から下方に揺動操作することにより、図７に示すようにフック１７の切欠き１７Ａを係止ピン１５に係止させることで、座部床８をフレーム１２Ａ，１２Ｂに固定することができるようにしている。
【００２２】
図９に示すように、前記長孔２４に入り込んだ前記揺動部材２５の係止部２５Ｂの後端面に、これに対向位置する長孔２４の端部との間に発生する隙間を埋めるためのゴムやスポンジあるいは軟質合成樹脂などからなる弾性部材２９を取り付けて実施してもよい。このように弾性部材２９を取り付けることによって、係止部２５Ｂの後端面（係止部材２２から離れる側の端面）と長孔２４の後端（係止部材２２から離れる側の端）との間に発生する隙間内での係止部材２５の移動を完全に阻止することができるだけでなく、例え係止部材２５が前記隙間内を移動して該係止部材２５が長孔２４の後端（係止部材２２から離れる側の端）に接当した場合でも、その接当時に発生する接当音を無くすことができる。
【００２３】
【発明の効果】
請求項１の発明によれば、前側フレーム部と中間フレーム部との連結及び後側フレーム部と中間フレーム部との連結を係止により行うことにより、従来のような貫通孔の位置合わせが不要になるだけでなく、貫通孔の形成によるフレーム部の強度低下を回避することができ、しかも連結作業を容易迅速に行うことができ、商品価値の高い寝台におけるフレーム連結構造を提供することができる。
又、係止ピン、被係止部、ストッパー部材をフレーム部の内側面に備えさせていることから、それらが外部から見え難く意匠感が低下することがなく、販売力のある商品にすることができる利点がある。しかも運搬時や移動時などに他物との接当を回避し易く、長期間に渡って良好に使用することができる使用面においても有利になる利点がある。
【００２４】
請求項２の発明によれば、係止ピン周りで前側フレーム部又は後側フレーム部が回転することを阻止することができ、寝台の運搬時や移動時においてがたつくことがなく、補強部材を筒状のもので構成したものに比べて、連結作業を容易迅速に行える連結作業面において有利になる。
【００２５】
請求項３の発明によれば、一方のフレーム部の連結端部に取り付けた補助用補強部材にて他方のフレーム部の連結端部の下面を接触支持することができ、連結端部における強度アップを図り、連結による強度低下を克服して長期間に渡って良好に使用することができる利点があるだけでなく、補助用補強部材を筒状のもので構成したものに比べて、連結作業を容易迅速に行える連結作業面において有利になる。
【図面の簡単な説明】
【図１】寝台の全体を示す分解斜視図である。
【図２】中間フレーム部に後側フレーム部を連結する直前の状態を示す斜視図である。
【図３】（ａ）は後側フレーム部の係止ピンに中間フレーム部のフックを係止する直前の状態を示す要部の斜視図、（ｂ）は後側フレーム部の係止ピンに中間フレーム部のフックを係止した状態を示す要部の斜視図である。
【図４】（ａ）は中間フレーム部に後側フレーム部を連結した状態を示す要部の横断平面図、（ｂ）は中間フレーム部に後側フレーム部を連結する直前の状態を示す要部の横断平面図である。
【図５】座部床及び膝部床をフレームに係止固定する直前の状態を示す要部の斜視図である。
【図６】背部床、座部床、膝部床をフレームに載置した状態を示す要部の斜視図である。
【図７】背部床、座部床、膝部床をフレームに載置して係止固定した状態を示す要部の斜視図である。
【図８】（ａ）は膝部床の係止部材を受け部の長孔に係止する直前の状態を示す要部の縦断面図、（ｂ）は膝部床の係止部材を受け部の長孔に係止して揺動部材にて膝部床が上方に移動することを阻止する状態を示す要部の縦断面図である。
【図９】図８で示した揺動部材に長孔との間に発生する隙間を塞ぐための弾性部材を取り付けた別の構成を示す要部の縦断面図である。
【符号の説明】
１  接地部              ２  固定フレーム
３  リンク機構          ４  支持フレーム
５  ヘッドボード        ６  フットボード
７  背部床              ８  座部床
９  膝部床              １０  脚部床
１１  床部              １２Ａ，１２Ｂ  フレーム
１２  中間フレーム部    １３  前側フレーム部
１４  後側フレーム部    １５  係止ピン
１５Ｎ  ねじ部          １６Ｄ  取付板部
１６Ａ  内側板部        １６  補助用補強部材
１６Ｂ  底板部          １６Ｃ  閉塞板部
１７  フック（ストッパー部材）
１７Ｔ  取っ手          １８  補助用係止ピン
１９Ａ  縦板部          １９Ｂ  水平板部
１９  補強部材          ２０  ブラケット
２１  連結フレーム      ２２Ｃ  係止板部
２２  係止部材          ２２Ａ  固定部
２２Ｂ  縦板部          ２３  受け具
２４  長孔              ２５Ｂ  係止部
２５Ａ  操作部          ２５  揺動部材
２６  連結フレーム      ２７  受け具
２８Ｔ  縦板部          ２８  連結フレーム
２８Ｂ  底板部          ２８Ａ  切欠き
２９  弾性部材
Ｗ，Ｘ，Ｙ，Ｚ  水平軸芯
【図１】
2004290415.tif 000003
【図２】
2004290415.tif 000004
【図３】
2004290415.tif 000005
【図４】
2004290415.tif 000006
【図５】
2004290415.tif 000007
【図６】
2004290415.tif 000008
【図７】
2004290415.tif 000009
【図８】
2004290415.tif 000010
【図９】
2004290415.tif 000011